(57)【要約】【課題】データの転送が行われる電子機器（データ処理装置）のユーザに対して、データ転送の待機時に好適なサービスを行う。【解決手段】データ処理装置において、データ処理を行う制御部と、制御部によってデータが書き出しされる記憶装置と、記憶装置と外部装置との間でデータ転送を行う転送手段と、転送手段によってデータの転送が行われているとき、制御部が記憶装置に記憶されているデータ以外の音声データを再生してユーザに音声を提供し、又は制御部の制御によらない音声提供装置によってユーザに音声を提供するデータ転送時音声提供手段と、を備える。【選択図】図８
2007261381.tif 000002
【特許請求の範囲】
【請求項１】
データ処理を行う制御部と、
前記制御部によってデータが書き出しされる記憶装置と、
前記記憶装置と外部装置との間でデータ転送を行う転送手段と、
前記転送手段によってデータの転送が行われているとき、前記制御部が前記記憶装置に記憶されているデータ以外の音声データを再生してユーザに音声を提供し、又は前記制御部の制御によらない音声提供装置によってユーザに音声を提供するデータ転送時音声提供手段と、
を備えることを特徴とするデータ処理装置。
【請求項２】
前記データ転送時音声提供手段は、前記記憶装置を介さずに前記外部装置内から前記データ処理装置側に転送された音楽データを、前記制御部が再生することで、ユーザに音声を提供することを特徴とする請求項１に記載のデータ処理装置。
【請求項３】
前記データ転送時音声提供手段は、前記外部装置内にエンコードされた状態で記憶されている音声データが該外部装置内でデコードされ、前記記憶装置を介さずに前記データ処理装置側に転送されるとき、該転送された音楽データを前記制御部が再生することでユーザに音声を提供することを特徴とする請求項２に記載のデータ処理装置。
【請求項４】
前記転送手段は、前記外部装置内にエンコードされた状態で記憶されている音声データを前記記憶装置に転送させ、
前記データ転送時音声提供手段は、前記転送手段による転送の対象となる音声データの全部又は一部が前記外部装置内でデコードされ、前記記憶装置を介さずに前記データ処理装置側に転送されるとき、該転送された音楽データを前記制御部が再生することでユーザに音声を提供することを特徴とする請求項２に記載のデータ処理装置。
【請求項５】
前記データ処理装置は、車両に搭載される車載機であって、
前記音声提供装置は、前記車載機に接続され前記車両内に音声を提供するオーディオ装置であることを特徴とする請求項１から請求項４の何れかに記載のデータ処理装置。
【請求項６】
データ処理を行う制御部と、該制御部によってデータが書き出しされる記憶装置と、を有するデータ処理装置に、
前記記憶装置と外部装置との間でデータ転送を行わせる転送用ステップと、
前記データ転送が行われている間に、前記記憶装置を介さずに前記外部装置内から前記データ処理装置側に転送された音声データを、前記制御部に再生させる再生用ステップと、
を実行させることを特徴とするデータ転送時音声提供プログラム。
【請求項７】
データが書き出しされる記憶装置を有し且つデータ処理を行うデータ処理装置との間で、データ転送を行う外部装置に、
前記データ処理装置からのデータ転送要求を受け付ける第一ステップと、
前記データ転送要求の受付後に前記記憶装置と前記外部装置との間でデータ転送を行う第二ステップと、
前記データ転送が行われている間に、前記記憶装置を介さずに前記外部装置内から前記データ処理装置側に転送された音声データを、該データ処理装置に再生させる第三ステップと、
を実行させることを特徴とするデータ転送時音声提供プログラム。
【請求項８】
前記第三ステップは、
前記外部装置内にエンコードされた状態で記憶されている音声データをデコードするデコード用ステップと、
前記デコード用ステップにおいてデコードされ、前記記憶装置を介さずに前記データ処理装置側に転送された音声データを、該データ処理装置に再生させる再生用ステップと、
を含んでなることを特徴とする請求項７に記載のデータ転送時音声提供プログラム。
【請求項９】
前記第二ステップは、前記外部装置内にエンコードされた状態で記憶されている音声データを前記記憶装置に転送させるステップであり、
前記第三ステップは、
前記第二ステップにおける転送の対象となる音声データの全部又は一部をデコードするデコード用ステップと、
前記デコード用ステップにおいてデコードされ、前記記憶装置を介さずに前記データ処理装置側に転送された音声データを、該データ処理装置に再生させる再生用ステップと、
を含んでなることを特徴とする請求項７に記載のデータ転送時音声提供プログラム。
【発明の詳細な説明】
【技術分野】
【０００１】
本発明は、データの転送等の処理を行うデータ処理装置に関する。
【背景技術】
【０００２】
乗り物内の複数の電子機器に対して無線通信を利用して、お互いが有する情報を互いに伝送する技術が公開されている（例えば、特許文献１を参照。）。例えば、車両に設けられブルートゥース機能を有する車載機が、車内にあるブルートゥース機能を有する携帯電話や携帯オーディオプレーヤ、携帯パソコン等と相互通信を行い、データが転送されて情報の共有をはかることが可能となる。
【０００３】
また、車両に設けられた車載機と携帯オーディオプレーヤとを連動させて、携帯オーディオプレーヤが有するデータを車載機側で再生する技術が公開されている（例えば、特許文献２を参照。）。この技術においては、車載機は、携帯オーディオプレーヤと無線通信が可能であって、携帯オーディオプレーヤ側での音声の再生が停止されると、この無線通信により音声データが携帯オーディオプレーヤから車載機に転送され、音声が車載機側で再生される。
【特許文献１】特開２００１−２３９８９７号公報
【特許文献２】特開２００４−２２１３９号公報
【特許文献３】特開２００４−３７９８１号公報
【特許文献４】特開２００２−９４９３３号公報
【発明の開示】
【発明が解決しようとする課題】
【０００４】
車両に搭載される車載機は、その多くはハードディスクドライブ等の記憶装置を備え、そこに車両内に音楽や映像を提供するための音楽データや映像データ等のコンテンツデータ、地図情報を提供するための地図データ等が記憶されている。これらのデータに対しては、車載機外の外部装置にデータを転送したり、外部装置から車載機にデータを転送したりする希望がユーザにある。
【０００５】
しかし、車載機と外部装置との間のデータ転送には、データ容量にもよるが比較的長い時間を要する。その間、ユーザは、そのデータ転送が終了するまで待機する必要があり、ユーザへのサービスが十分とは言えない。また、これは車載機に限られず、一般にデータ転送が行われる電子機器のユーザに対しても言い得る。
【０００６】
本発明では、上記した問題に鑑み、データの転送が行われる電子機器のユーザに対して、データ転送の待機時に好適なサービスを行うことを目的とする。
【課題を解決するための手段】
【０００７】
本発明では、上記した課題を解決するために、データ転送時に、該データ転送を制御する制御部に可及的に負荷をかけない方法で、ユーザに対して音声を提供することとした。このようにすることで、データ転送を阻害することを抑制しつつ、待機中のユーザにサービスを提供することが可能となるからである。
【０００８】
詳細には、本発明は、データ処理装置であって、データ処理を行う制御部と、前記制御部によってデータが書き出しされる記憶装置と、前記記憶装置と外部装置との間でデータ転送を行う転送手段と、前記転送手段によってデータの転送が行われているとき、前記制御部が前記記憶装置に記憶されているデータ以外の音声データを再生してユーザに音声を
提供し、又は前記制御部の制御によらない音声提供装置によってユーザに音声を提供するデータ転送時音声提供手段と、を備える。
【０００９】
本発明に係るデータ処理装置は、音楽データや映像データ等の様々なデータの再生、加工等の処理を行うものである。これらのデータ処理は、上記制御部によって行われる。そして、この制御部がアクセスすることで、データの書き出しが行われる記憶装置が、データ処理装置には備えられている。
【００１０】
ここで、ユーザは、バックアップ等の様々な目的で、記憶装置に記憶されたデータをデータ処理装置とは別体の外部装置に転送することを望む場合がある。また、これとは、逆に外部装置が有するデータをデータ処理装置に転送し、そのデータをデータ処理装置でデータ処理することを望む場合もある。このとき、転送手段によって記憶装置と外部装置との間でデータの転送が行われ、この転送処理も制御部によって制御される。
【００１１】
しかし、制御部がデータの転送を完了するまでにはある程度の時間が必要となり、その間は制御部が該データ転送を主に実行するため、ユーザがデータ処理装置を操作することが困難となり、もしくはユーザがデータ処理装置を操作するとデータ転送を阻害し転送時間が延びてしまう虞がある。そこで、本発明に係るデータ処理装置は、データ転送時音声提供手段による音声提供が行われる。この音声提供は、制御部の実質的な介在を可及的に避けることで制御部への負荷を抑制しつつ、転送待機中のユーザに音声を提供するものである。
【００１２】
その音声提供として、第一に、制御部が記憶装置に記憶されているデータ以外の音声データを再生してユーザに音声を提供する。この場合、制御部には音声データの再生という負荷が生じるものの記憶装置に対して音声データの読み取り処理は行わないため、記憶装置と外部装置との間で行われているデータ転送を阻害する程度は可及的に低くなる。従って、転送待機中のユーザに対しても適切な音声の提供が可能となる。
【００１３】
また、データ転送時音声提供手段による音声提供として、第二に、制御部の制御によらない音声提供装置によってユーザに音声を提供する。音声提供装置とは、音声を提供する上で上記制御部の制御対象とならない装置であって、データ処理装置と電気的に接続されている装置である。例えば、前記データ処理装置が車両に搭載される車載機であるときは、音声提供装置として、前記車載機に接続され前記車両内に音声を提供するオーディオ装置が挙げられ、より具体的には、ラジオ、テレビ、カセットデッキ等が挙げられる。また、このオーディオ装置はこれらの例示に限られず、制御部にかかる負担、特にデータ転送時の制御部にかかる負担が小さい範囲においては、ＣＤ、ＭＤ、ＤＶＤ等の音源も利用可能である。従って、転送手段によってデータ転送が行われているとき、制御部はそのデータ転送を主に処理しながら、ユーザに対してはデータ転送時音声提供手段によって制御部に負荷をかけることなく音声提供装置から音声の提供が行われる。
【００１４】
上記のデータ処理装置において、前前記データ転送時音声提供手段は、前記記憶装置を介さずに前記外部装置内から前記データ処理装置側に転送された音楽データを、前記制御部が再生することで、ユーザに音声を提供するようにしてもよい。即ち、転送待機中のユーザに提供される音源を、データ処理装置との間で転送が行われている外部装置が有する音声データとするものである。尚、この場合、転送の対象となるデータと、ユーザに提供される音声の音声データとは同一のデータであってもよく、又は異なるデータであってもよい。ここで、制御部の再生処理に供される音声データは、上記の記憶装置を介さずに外部装置からデータ処理装置へ転送される。換言すると、該音声データは、上記の記憶装置に書き込まれない状態でデータ処理装置内に存在し、制御部による再生制御に供されることになり、以て、記憶装置と外部装置との間で行われているデータ転送を阻害する程度を
低く抑えることが可能となる。
【００１５】
更に、前記データ転送時音声提供手段は、前記外部装置内にエンコードされた状態で記憶されている音声データが該外部装置内でデコードされ、前記記憶装置を介さずに前記データ処理装置側に転送されるとき、該転送された音楽データを前記制御部が再生することでユーザに音声を提供するようにしてもよい。即ち、前記外部装置が有する音声データが、エンコードされた状態で該外部装置内に記憶されている場合、前記データ転送時音声提供手段が前記外部装置が有する音声データをユーザに提供するときは、該音声データのデコードが該外部装置側で行われる。そして、そのデコードされた音声データがデータ処理装置に転送され、制御部による再生制御に供される。
【００１６】
音声データ等のデータは、その容量が大きい場合には圧縮等のエンコード処理が行われる。このようなとき、そのデータを再生等の処理を行う場合、該データのエンコードされた状態からデコードされた状態にする必要がある。ここで、エンコードされた状態でデータ処理装置に転送された音声データを、該データ処理装置でデコード処理を行いユーザに音声を提供しようとすると、そのデコード処理を制御部がすることとなるため、制御部の負荷が高くなり、同時に行われている転送手段によるデータ転送を阻害する虞がある。そこで、エンコードされた音声データは外部装置内でデコードされてからデータ処理装置に転送される。その結果、データ処理装置の制御部にかかる負担を可及的に小さくしながら、転送手段によるデータ転送とユーザへの音声の提供の両立が図られる。
【００１７】
また、上記のデータ処理装置において、前記転送手段は、前記外部装置内にエンコードされた状態で記憶されている音声データを前記記憶装置に転送させ、前記データ転送時音声提供手段は、前記転送手段による転送の対象となる音声データの全部又は一部が前記外部装置内でデコードされ、前記記憶装置を介さずに前記データ処理装置側に転送されるとき、該転送された音楽データを前記制御部が再生することでユーザに音声を提供するようにしてもよい。即ち、前記外部装置内に音声データがある場合、前記転送手段は、前記外部装置内の前記音声データをエンコードされた状態で前記記憶装置に転送させる。更に、その転送の対象となる前記外部装置内のエンコードされた状態の音声データの一部又は全部が外部装置内でデコードされたうえで、前記データ処理装置に転送されて、制御部による再生処理に供される。
【００１８】
転送手段によるデータ転送の対象となる音楽データと、データ転送時音声提供手段によってユーザに提供する音声の音源となる音楽データが、全部又はその一部で共通する場合、転送手段による転送では音楽データをエンコードした状態で転送することで、転送時間の短縮化を図る。一方で、データ転送時音声提供手段によってユーザに音声を提供する場合、音声データが外部装置内でデコードされたうえでデータ処理装置に転送されて再生されることで、上述したように制御部の負荷を可及的に小さくした上で、ユーザに音声を提供することが可能となる。
【００１９】
上記の課題を解決するために、本発明を、データ処理装置を機能させるコンピュータプログラムの側面から捉えることも可能である。即ち、データ処理を行う制御部と、該制御部によってデータが書き出しされる記憶装置と、を有するデータ処理装置に、前記記憶装置と外部装置との間でデータ転送を行わせる転送用ステップと、前記データ転送が行われている間に、前記記憶装置を介さずに前記外部装置内から前記データ処理装置側に転送された音声データを、前記制御部に再生させる再生用ステップと、を実行させるデータ転送時音声提供プログラムである。即ち、同該プログラムによって、データ処理装置と外部装置との間でデータ転送が行われているとき、音声提供のための音声データを外部装置から供給させることで、ユーザに音声提供が実行される。
【００２０】
更に、上記の課題を解決するために、本発明を、データ処理装置とデータ転送を行う外部装置を機能させるコンピュータプログラムの側面から捉えることも可能である。即ち、本発明は、データが書き出しされる記憶装置を有し且つデータ処理を行うデータ処理装置との間で、データ転送を行う外部装置に、前記データ処理装置からのデータ転送要求を受け付ける第一ステップと、前記データ転送要求の受付後に前記記憶装置と前記外部装置との間でデータ転送を行う第二ステップと、前記データ転送が行われている間に、前記記憶装置を介さずに前記外部装置内から前記データ処理装置側に転送された音声データを、該データ処理装置に再生させる第三ステップと、を実行させるデータ転送時音声提供プログラムである。即ち、当該プログラムによって、データ処理装置と外部装置との間でデータ転送が行われているとき、音声提供のための音声データを外部装置が供給することで、ユーザへの音声提供が実行される。
【００２１】
更に、上記データ転送時音声提供プログラムにおいては、前記第三ステップは、前記外部装置内にエンコードされた状態で記憶されている音声データをデコードするデコード用ステップと、前記デコード用ステップにおいてデコードされ、前記記憶装置を介さずに前記データ処理装置側に転送された音声データを、該データ処理装置に再生させる再生用ステップと、を含んでなってもよい。または、上記データ転送時音声提供プログラムにおいて、前記第二ステップは、前記外部装置内にエンコードされた状態で記憶されている音声データを前記記憶装置に転送させるステップであって、前記第三ステップは、前記第二ステップにおける転送の対象となる音声データの全部又は一部をデコードするデコード用ステップと、前記デコード用ステップにおいてデコードされ、前記記憶装置を介さずに前記データ処理装置側に転送された音声データを、該データ処理装置に再生させる再生用ステップと、を含んでなってもよい。このように構成されるデータ転送時音声提供プログラムによって、外部装置内の音声データを利用しつつ、データ処理装置の処理負担を可及的に抑制しながら、ユーザに音声を提供することが可能となる。
【発明の効果】
【００２２】
データの転送が行われる電子機器のユーザに対して、データ転送の待機時に好適なサービスを行うことが可能となる。
【発明を実施するための最良の形態】
【００２３】
ここで本発明に係るデータ処理装置としての車載機の実施の形態について図面に基づいて説明する。
【実施例１】
【００２４】
図１は、本発明に係るデータ処理装置に相当する車載機１が搭載される車両４０の概略構造および車載機１を含んで構成される車両４０内でのサービスシステムの概略構成を示す図である。車載機１は、主に車両４０内のユーザに対して音楽や地図情報（ナビゲーション情報）を提供するために、音楽データや地図情報データの処理を行う電子機器であり、その詳細な構成は後述する。
【００２５】
ここで、車載機１を含んで構成されるサービスシステムについて、図１および図２に基づいて説明する。先ず、車載機１は、中央処理装置（以下、「ＣＰＵ」という。）３を有する。このＣＰＵ３は、その内部に、システム制御部４とナビ制御部７の二つの制御部を有している。
【００２６】
システム制御部４は、主に、ユーザに対して音楽サービスを提供するために、車載機１を、音楽データを処理する装置として機能させるための制御を司る。その一例として、この車載機１は、いわゆる音楽データをコンテンツデータとして車両４０内で再生する機能を有する。この音楽データの処理について、詳細に説明する。車載機１には、ＣＤ／ＤＶ
Ｄデッキ（以下、単に「ＣＤデッキ」という。）１３と、ハードディスクドライブ（以下、「ＨＤＤ」という。）１２、ＭＤデッキ１６が備えられ、それぞれシステム制御部４に電気的に接続されている。また、システム制御部４には、車両４０を操縦するユーザからの音楽データの処理に関する指令を受け付ける操作部８と、音楽データに関する情報をユーザに対して表示する表示部９が電気的に接続される。更に、システム制御部４にはＤＳＰ再生制御部９が電気的に接続され、ＤＳＰ再生制御部９ではシステム制御部４から送られる音楽データに対して演算処理を施し、車載機１の外部（車両４０内）に設けられたパワーアンプ２０に音楽演奏のための電気信号を送る。
【００２７】
更に、車載機１における、音楽データの処理について詳細に説明する。車両４０を操縦するユーザが、ＣＤデッキ１３に音楽データが記録された音楽ＣＤを装着すると、システム制御部４によって音楽ＣＤからデータのサンプリングが行われ、その音楽データがＤＳＰ再生制御部１９に送られて演算処理され、パワーアンプ２０を介して車両４０内に設けられたスピーカ２１から音楽が演奏される。このとき、システム制御部４は、ＣＤデッキ１３に装着された音楽ＣＤが車両４０内で初めて演奏される場合には、その音楽データをＡＴＲＡＣ３やＭＰ３等の所定のデータ形式に変換してＨＤＤ１２内に記録していく。このようにすることで、システム制御部４が、ＨＤＤ１２内に音楽データを記録していき、ＣＤデッキ１３に音楽ＣＤが装着されていなくても、ユーザは任意にＨＤＤ１２内に記録された音楽データを再生し、車両内で聞くことが可能となる。
【００２８】
尚、以前にシステム制御部４によってＨＤＤ１２内に記録された履歴を有する音楽ＣＤがＣＤデッキ１３に再び装着されたときは、システム制御部４はＨＤＤ１２への音楽データの記録は行わない。また、上述したように、システム制御部４が自動的にＨＤＤ１２への音楽データの記録を行うのに加えて、ユーザからの操作部８を通した指令に従って、音楽ＣＤの任意の音楽データのみをＨＤＤ１２内に記録するようにしてもよい。また、ＭＤデッキ１６に音楽データが記録された音楽ＭＤが装着されたときも同様である。
【００２９】
また、ＣＰＵ３内において、システム制御部４はエンコード／デコード部５と暗号化／複合化部６と電気的に接続されている。エンコード／デコード部５では、ＨＤＤ１２内に音楽データを記録する際の該音楽データの圧縮や、その圧縮された音楽データのＤＳＰ再生制御部１９での演算処理のための解凍が行われる。また、暗号化／複合化部６では、ＨＤＤ１２内に記録される音楽データの著作権を保護するための暗号化、およびその複合化を行う。この著作権保護のための処理については、後述する。
【００３０】
更に、車載機１には、ＴＶチューナ１４、ＡＭ／ＦＭチューナ１５、カセットデッキ１７が備えられ、それぞれシステム制御部４に電気的に接続されている。これらの音声ソースに対しては、システム制御部４は、それぞれから出力された音声信号の信号処理は行わず、操作部８を通して得られるユーザからの選択指示に従い、何れかの音声ソースからの音声信号をパワーアンプ２０を介してスピーカ２１に送る。
【００３１】
ナビ制御部７は、主に、ユーザに対してナビゲーションサービスを提供するために、車載機１を、地図データを処理する装置として機能させるための制御を司る。しかし、本発明の実施例においては、ナビ制御部７は主要な機能を果たさない。そこで、本実施例においては、その詳細な説明は省略するとともに、図面における記載も最小限に留める。また、車両４０には、ナビゲーション用のＧＰＳ受信機２２と車両の速度を検出する車速センサ２３が備えられ、それぞれシステム制御４に電気的に接続される。システム制御部４が受け取ったこれらからの信号はナビ制御部７に伝えられ、ナビ制御部７は、ＧＰＳ受信機２２および車速センサ２３からの信号と、ＨＤＤ１２内に記録されている地図データに基づいて、車両４０のナビゲーションを行う。
【００３２】
また、ＣＰＵ３は、ＲＡＭ１０、ＲＯＭ１１とも電気的に接続されており、必要に応じてこれらのメモリに記憶されている情報に、ＣＰＵ３がアクセスする。更に、システム制御部４はＵＳＢ制御部１８と電気的に接続され、ＵＳＢマスストレージクラスによって、車載機１が外部パソコン２と通信可能となっている。外部パソコン２は、車載機１に対して外部装置として存在し、その内部にデータを記憶可能な記憶装置を有している。
【００３３】
ここで、車載機１における、ＨＤＤ１２内に記録された音楽データの再生に関して詳細に説明する。システム制御部４がＨＤＤ１２にアクセスをし、そこに記録されている音楽データにアクセスをする場合、多量の音楽データを管理するための管理データに基づいてアクセスする。この管理データの詳細については、後述する。そして、管理データから得られる音楽データのパラメータを基に、システム制御部４は表示部９に音楽データ再生時の再生画面を形成する（図３を参照。）。本実施例においては、図３に示すように、音楽データにおけるアーチスト名、アルバム名、該楽曲のアルバムにおけるトラック番号、該楽曲名に加えて、該楽曲のアルバムのジャケット写真とアーチストに関する情報の動画を組合せた画面が表示部９に表示される。これにより、ユーザが楽曲を聞きながら、該楽曲に関する情報を視覚的に容易に把握することが可能となる。
【００３４】
このような音楽データの管理を行うためにＨＤＤ１２には、図４に示すようなデータ構造が構築されている。ＨＤＤ１２の記憶領域は、主にＲ１、Ｒ２、Ｒ３の三つの領域に区分される。領域Ｒ１は、上述した音楽データ等のコンテンツデータが記録される領域である。具体的には、領域Ｒ１には、上述しようにシステム制御部４によって、ＡＴＲＡＣ３やＭＰ３等の所定のデータ形式に変換された音楽データや、上記のアルバムのジャケット写真に関する画像データ（図中、「ジャケ写データ」と称する。）や、上記のアーチストに関する情報の動画の映像データが記録される。更に、これらのコンテンツデータを管理するための管理情報に関する管理データも記録される。
【００３５】
次に、領域Ｒ２には、「ＣＤＤＢ」（登録商標：登録４７２０６７５号）に代表される、ＣＤデッキ１２に装着された音楽ＣＤのアルバム名や曲名をデータベース化したタイトルデータベースが記録される。更に、領域Ｒ３には、ナビ制御部７によるカーナビゲーションに使用されるデータ等が記録される。例えば、地図データ、地図上の施設情報、ナビゲーションの履歴情報、ユーザに関する情報、住所情報、電話番号情報や、ナビゲーションそのものを行うアプリケーションソフト等、そしてこれらのデータを管理するための管理情報に関する管理データが記録される。
【００３６】
ここで、音楽ＣＤからＨＤＤ１２に記録された音楽データは、デジタルデータでありその著作権は十分に保護されなければならない。ＨＤＤ１２から徒に別の記憶装置に複製または移動等のデータ転送が行われると、音楽データの著作権を侵害する蓋然性が高くなる。そこで、一例として、図５に示すような著作権保護技術が利用されている。
【００３７】
図５に基づいて、著作権保護技術について説明する。データ処理装置Ｄ１において、音楽ＣＤからＨＤＤ１２にデータが記録されるとき、所定の規則に基づいて暗号化が行われる。そして、この暗号化された音楽データは、対応する複合化用の鍵Ｋ１が存在しなければ複合化することができない。ここで、データ処理装置Ｄ１には、予め識別番号ＩＤ１が付与されており、この識別番号ＩＤ１から鍵Ｋ１が生成されるようになっている。従って、データ処理装置Ｄ１においては、ＨＤＤ１２に暗号化されて記録された音楽データは、複合化され再生することが可能である。
【００３８】
ここで、ＨＤＤ１２に記録された暗号化された音楽データを、別のデータ処理装置Ｄ２のＨＤＤ１２’に複製したと仮定する。しかし、このデータ処理装置Ｄ２には、データ処理装置Ｄ１とは異なる識別番号ＩＤ２が付与されているため、この識別番号に基づいて形
成される複合化用の鍵はＫ１ではなくＫ２となる。そのためＨＤＤ１２’に複製された音楽データ用の複合化用の鍵が正当な鍵でないため、暗号化された音楽データを複合化することが不可能となり、結果、データ処理装置Ｄ２では、音楽データの再生は不可能となる。このようにして、ＨＤＤ１２に記録された音楽データの保護が図られる。
【００３９】
ここで、著作権を保護するデータの転送技術においては、該技術を広く普及させるためにその規格を統一、汎用化することが要請される。そのため、データ転送の際、該規格から外れた構成のデータは、著作権保護の下データ転送することが困難となる。特に、上述したように、車載機１では表示部９での音楽データのアルバムの画像表示や動画の映像表示等のオリジナル機能が実施されている。そのような場合、このオリジナル機能があるが故に著作権保護の下データ転送ができなくなるのは、ユーザに不都合である。このオリジナル機能を含めて、著作権保護の下音楽データをデータ転送する技術が、ユーザの利便性に合致する。
【００４０】
そこで、以下に上記オリジナル機能を含めた、著作権保護の下音楽データをデータ転送する技術について説明する。図６に、ＨＤＤ１２内のデータ構造の詳細を示す。尚、図６に示されるＨＤＤ１２は、領域Ｒ１のみである。また、車載機１のＨＤＤ１２と外部パソコン２との接続については、図２に示すように本来はシステム制御部４やＵＳＢ制御部１８等を介するが、図６においてはこれらの記載は省略する。
【００４１】
本発明に係るＨＤＤ１２の領域Ｒ１は、更に二つの領域Ｒ４とＲ５に分けられる。この領域Ｒ４は外部パソコン２からのアクセスが不可能な領域であり、また領域Ｒ５は外部パソコン２からのアクセスが可能な領域である。先ず、領域Ｒ４には、車載機１で実行されるオリジナル機能を含む音楽データの管理データであるオリジナル管理データと、該オリジナル機能に関連するオリジナル機能データ（上述の、図４に示すジャケ写データや動画の映像データをいう。）が記録されている。一方で、領域Ｒ５には、車載機１のオリジナル機能を含めて、著作権保護の下音楽データをデータ転送するための管理データである著作権対応管理データと、多くの音楽データが記録されている。
【００４２】
ここで、この著作権対応管理データは、ＣＰＵ３が、オリジナル管理データから形成する。これらの管理データについて、図７に基づいて詳細に説明する。図７（ａ）にはオリジナル管理データの構造を、図７（ｂ）には著作権対応管理データの構造をそれぞれ示す。オリジナル管理データは、領域Ｒ５に記録された音楽データの識別番号（ＩＤ）と、該音楽データのデータ名、該音楽データが属するアルバム名、該アルバムにおける該音楽データのトラック番号、該音楽データの曲名、該音楽データを演奏するアーチスト名に加えて、一番目のオリジナル機能であるジャケ写データ名、二番目のオリジナル機能である上記の動画の映像データ名をフィールドとするデータベース構造を有する。
【００４３】
車載機１は、このオリジナル管理データに基づいて、領域Ｒ５に記録された音楽データの管理を行う。即ち、オリジナル管理データに格納されている各音楽データごとのパラメータを使用して、図３に示すような表示部９での画面を形成するとともに、その画面に対応する音楽データをＤＳＰ再生制御部１９を通して再生する。また、ユーザからの操作部８を通した指令に従って、表示部９に形成する画面とＤＳＰ再生制御部１９に送る音楽データを管理する。従って、オリジナル管理データは、「車載機１におけるオリジナル機能を発揮させる」という基準に従って、音楽データを再生、管理するための管理データである。尚、この基準を、以下では「第一基準」と称する。
【００４４】
次に、著作権対応管理データは、本体部と付属部とで構成される。本体部は実質的に音楽データの管理に使用される部分であり、付属部は音楽データの管理には使用されない部分である。従って、付属部は、著作権対応管理データのいわゆるヘッダ等に相当する。こ
の本体部の構造は、上述のオリジナル管理データの一部と同じである。即ち、音楽データの識別番号（ＩＤ）と、該音楽データのデータ名、該音楽データが属するアルバム名、該アルバムにおける該音楽データのトラック番号、該音楽データの曲名、該音楽データを演奏するアーチスト名のフィールドを有する。それに加えて、著作権対応管理データは、音楽データの著作権を保護するために各音楽データに著作権対応データ１と著作権対応データ２の二つのフィールドが付与される。これらの著作権対応のフィールドは、音楽データの移動や複製、更には複製後の再生等に対する汎用的な規格に対応するフィールドである。そして、この本体部全体のデータ構造は、著作権保護のための該汎用的な規格に対応可能な、汎用的なデータ構造となり、これにより図５に示す音楽データの著作権保護が可能となる。
【００４５】
また、著作権対応管理データの付属部は、オリジナル管理データに含まれていたが、上記の本体部には含まれない部分、即ち車載機１にけるオリジナル機能を発揮させるために必要な管理データによって構成される。この付属部は、音楽データの管理、特に著作権保護のための該汎用的な規格に対応した音楽データの管理には使用されない付随的な部分である。以上より、著作権対応管理データは、「音楽データの著作権保護のための汎用的な規格に準拠する」という基準に従って、音楽データを管理するための管理データである。尚、この基準を、以下では「第二基準」と称する。
【００４６】
そして、この著作権対応管理データは、車載機１においてＣＰＵ３によってオリジナル管理データから形成される。即ち、音楽データに関する管理データの一部は、オリジナル管理データと著作権対応管理データとで重複する。これは音楽データにおいて、実質的に「音楽」そのものに対応するフィールドのデータである。そこで、ＣＰＵ３は、オリジナル管理データのうちその重複するフィールドにおけるデータに、図５に示す著作権保護のための該汎用的な規格に従って必要なフィールドのデータを付加し、且つオリジナル管理データのうち汎用的な著作権保護に関与しないデータについては付属部に格納することで、オリジナル管理データから著作権対応管理データを形成する。即ち、ＣＰＵ３は、第一基準に基づいて形成された管理データを、第二基準に基づいてデータ構造を変換し新たな管理データを形成する。
【００４７】
尚、著作権対応管理データの形成については、上記のようなオリジナル管理データからのデータ変換には限られない。例えば、著作権対応管理データは、オリジナル管理データとは完全に独立した状態で著作権対応基準に基づいて予め形成されてもよい。また、オリジナル管理データと著作権対応管理データは、ともに音楽データに関する管理データであるから、その内部構成において部分的に共通するデータが存在する場合がある。そこで、その共通データをベースとして、オリジナル基準および著作権対応基準に基づいてオリジナル管理データおよび著作権対応管理データを形成するようにしてもよい。
【００４８】
ここで、この著作権対応管理データは、車載機１において直接音楽データを管理（再生）するのには使用されず、車載機１から外部パソコン２に音楽データを移動または複製（データ転送）するとき、即ち音楽データの著作権の保護を考慮しなければならない状況での音楽データの管理のために使用される。この音楽データのデータ転送は、外部パソコン２に搭載されているデータ転送用のアプリケーションソフトが、車載機１のＵＳＢ制御部１８を介してＨＤＤ１２の領域Ｒ５に記録されている著作権対応管理データにアクセスし、その領域Ｒ５に記録されている音楽データを、著作権保護のための汎用的な規格に準じて外部パソコン２内の記憶装置にデータ転送を行う。このとき著作権対応管理データも外部パソコン２内にデータ転送される。
【００４９】
これにより、音楽データの著作権が保護された状態で、外部パソコン２に音楽データがデータ転送されるとともに、車載機１におけるオリジナル機能に対応する管理データも外
部パソコン側にデータ転送される。そこで、外部パソコン２に搭載される音楽データの再生アプリケーションが、該オリジナル機能に対応しているアプリケーションであれば、著作権対応管理ソフトの付属部に記録されているデータを基に、該オリジナル機能を発揮させながら、著作権保護の下でデータ転送された音楽データを再生することが可能である。また、外部パソコン２に搭載される音楽データの再生アプリケーションが、該オリジナル機能に対応していないアプリケーションであっても、著作権対応管理ソフトの本体部に記録されているデータを基に音楽データの再生が可能である。尚、外部パソコン２でオリジナル機能を発揮させるためには、音楽データのデータ転送時に、車載機１が外部パソコン２側のアプリケーションと連動して、領域Ｒ４に記録されているオリジナル機能データを外部パソコン２に転送すればよい。
【００５０】
また、著作権対応管理データの形成は、外部パソコン２が車載機１に接続され、外部パソコン２からの音楽データの転送要求、もしくは車載機１から外部パソコン２への転送指令があってから形成されるようにしてもよい。即ち、音楽データのデータ転送直前に、その時点で車載機１に記録されている音楽データの最新の状態に応じて該音楽データのデータ転送を行う。また、これに限らず、外部パソコン２が車載機１と何らかの通信を行っている最中や、外部パソコン２が車載機１と接続する前に既に、著作権対応管理データを形成するようにしてもよい。
【００５１】
尚、音楽データのデータ転送終了後は、著作権対応管理データを車載機１から消去してもよい。該著作権対応管理データは、車載機１における音楽データの管理には直接使用はされないからである。その場合、次の音楽データのデータ転送時に、新たな著作権対応管理データが形成される。
【００５２】
ここで、車載機１における音楽データの上記データ転送を行っている際は、車載機１のシステム制御部４の処理能力は該転送に費やされる。これは、システム制御部４がＨＤＤ１２にアクセスし、転送のためのデータ処理を行う処理は、システム制御部４に対して比較的大きな負荷であるとともに、データ転送を速やかに終わらせるためにもシステム制御部４が集中的にデータ転送処理を行うのが好ましいからである。従って、その間、車載機１のユーザは、操作部８を通して車載機１に対して指示を行っても、その指示は受け付けられないか、又は受け付けられたとしても適切な速度でその指示が処理されるのは困難となり、ユーザへのサービスが十分とは言えない。
【００５３】
そこで、データ転送時の上記のような不具合を回避し得るデータ転送制御について、図８に基づいて詳細に説明する。図８に示すデータ転送制御を行うプログラムは、車載機１のＲＯＭ１１に格納されており、ＣＰＵ３によって実行される。
【００５４】
先ず、Ｓ１０１では、外部パソコン２の認識を行う。即ち、車載機１とＵＳＢ制御部１８を介して接続されている外部パソコン２が、著作権保護の音楽データのデータ転送を可能とするデータ処理装置であるのか否かの判定をする。具体的には、外部パソコン２において起動されるデータ転送用のアプリケーションが著作権保護に対応するアプリケーションであるか、また著作権保護のための上記の汎用的な規格に対応した何らかの識別データを外部パソコン２が備えているか等の所定の判断基準に従って、外部パソコン２の認識を行う。Ｓ１０１の処理が終了すると、Ｓ１０２へ進む。
【００５５】
Ｓ１０２では、上述したように、車載機１のＨＤＤ１２の領域Ｒ４に記録されているオリジナル管理データから、領域Ｒ５に著作権対応管理データを形成するのを開始する。Ｓ１０２の処理が終了すると、Ｓ１０３へ進む。
【００５６】
Ｓ１０３では、外部パソコン２に搭載される音楽データの再生アプリケーションが、該
オリジナル機能に対応しているアプリケーションか否かが判定される。即ち、著作権保護の下音楽データをデータ転送した後、その音楽データに対して車載機１のオリジナル機能を加味した状態で再生することが可能か否かが判定される。該オリジナル機能に対応していると判定されるとＳ１０４へ進み、対応していないと判定されるとＳ１０７へ進む。
【００５７】
Ｓ１０４では、第二基準に基づいてオリジナル管理データから、図７に示すように著作権対応管理データの上記本体部および上記付属部を、ＨＤＤ１２の領域Ｒ５に形成する。Ｓ１０４の処理が終了すると、Ｓ１０５へ進む。
【００５８】
外部パソコン２には、記憶容量の関係から様々な音楽データがエンコードされた状態で記憶装置に記憶されており、そこで、Ｓ１０５では、転送の対象となるＨＤＤ１２内の音楽データとは別の、外部ＰＣの記憶装置に記憶されている提供用音楽データのデコード要求が、ＣＰＵ３からＵＳＢ制御部１８を介して外部パソコン２に出される。これにより、外部パソコン２では、一又は複数の提出用音楽データのデコード処理が行われるが、これは車載機１とは独立して行われる処理であるため、車載機１のＣＰＵ３の負担を増大させるものではない。Ｓ１０５の処理が終了すると、Ｓ１０６へ進む。
【００５９】
Ｓ１０６では、Ｓ１０４で形成された著作権対応管理データに基づいて、該著作権対応管理データと、音楽データを、著作権保護の下、外部パソコン２の記憶装置に転送を開始する。更に、外部パソコン２には、車載機１のオリジナル機能に対応した音楽データの再生アプリケーションが搭載されているため、ＣＰＵ３はＨＤＤ１２の領域Ｒ４に記録されているオリジナル機能データも外部パソコン２の記憶装置に転送する。Ｓ１０６の処理が終了すると、Ｓ１１０へ進む。
【００６０】
一方で、Ｓ１０７では、第二基準に基づいてオリジナル管理データから、図７に示すように著作権対応管理データの上記本体部のみを形成する。付属部を形成しない理由は、外部パソコン２には、車載機１のオリジナル機能に対応した音楽データの再生アプリケーションが搭載されていないため、該オリジナル機能に対応するデータは不要だからである。Ｓ１０７の処理が終了すると、Ｓ１０８へ進む。
【００６１】
Ｓ１０８では、Ｓ１０５と同様に、転送の対象となるＨＤＤ１２内の音楽データとは別の、外部ＰＣの記憶装置に記憶されている提供用音楽データのデコード要求が、ＣＰＵ３からＵＳＢ制御部１８を介して外部パソコン２に出される。Ｓ１０８の処理が終了すると、Ｓ１０９へ進む。
【００６２】
Ｓ１０９では、Ｓ１０７で形成された著作権対応管理データに基づいて、該著作権対応管理データと、音楽データを、著作権保護の下、外部パソコン２の記憶装置に転送を開始する。尚、外部パソコン２には、車載機１のオリジナル機能に対応した音楽データの再生アプリケーションが搭載されていないため、Ｓ１０５のようにＣＰＵ３はＨＤＤ１２の領域Ｒ４に記録されているオリジナル機能データを外部パソコン２の記憶装置には転送しない。Ｓ１０９の処理が終了すると、Ｓ１１０へ進む。
【００６３】
Ｓ１１０では、Ｓ１０５又はＳ１０８の処理によって、外部パソコン２に形成されたデコードされた提供用音楽データを利用して、車両４０内のユーザに対して音楽の提供が行われる。具体的には、外部パソコン２内の提供用音楽データは、ＵＳＢ制御部１８を介して車載機１側に転送される。このとき、転送された提供用音楽データは既にデコードされているので、システム制御部４は、その提供用音楽データをＤＳＰ再生制御部１９に渡すことで、車両４０内に音楽が提供される。
【００６４】
このＳ１１０の処理における音楽の提供の特徴点は、システム制御部４がＨＤＤ１２に
何らアクセスをすることなく、車両４０内に音楽が提供されるための、システム制御部４の負荷の増加を抑制することができ、ＨＤＤ１２から外部パソコン２への音楽データの転送を阻害することを回避し得る点である。この結果、データ転送時、待機中のユーザに対して、データ転送の阻害を可及的に回避しながらも音楽の提供を行うことが可能となる。Ｓ１１０の処理が終了すると、Ｓ１１１へ進む。
【００６５】
Ｓ１１１では、Ｓ１０６又はＳ１０９で開始された各データの転送が完了したか否かが判定される。転送が完了したとき、転送元の音楽データおよびそれに関連する管理データ等は削除され、転送先のみに存在する。転送が完了したと判定されるとＳ１１２へ進み、転送が完了していないと判定されるとＳ１１０以降の処理が再び行われる。Ｓ１１２では、Ｓ１１０で開始された車両４０内での音楽の提供が停止され、本制御を終了する。
【００６６】
本制御によると、音楽データの著作権を確保した状態でその転送が行われる。更に、その転送が完了するのを待機しているユーザに対して、システム制御部４に係る負荷を可及的に抑制しながら音楽を提供することが可能となる。尚、上記の実施例では、車載機１は音楽データの再生においてオリジナル機能を有し、管理データもそのオリジナル機能が反映されたものであった。しかし、上記のデータ転送制御は、このようなオリジナル機能を有さない車載機、即ち、図７に示す著作権対応管理データの本体部のみで音楽データの再生が可能な車載機にも適用が可能である。この場合、上述したＳ１０２での著作権対応管理データの作成開始処理は不要となる。
【実施例２】
【００６７】
本発明に係る車載機１の第二の実施例について、以下に説明する。本実施例では、車載機１で行われる音楽データの転送制御について、図９に基づいて説明する。このデータ転送制御は、図１、２に示す車載機１のＣＰＵ３によって実行されるルーチンであり、外部パソコン２からＨＤＤ１２へのデータ転送を行う制御である。
【００６８】
Ｓ２０１では、Ｓ１０１と同様に、外部パソコン２の認識を行う。Ｓ２０１の処理が終了すると、Ｓ２０２へ進む。Ｓ２０２では、外部パソコン２に対して、外部パソコン２の記憶装置内に記憶されている音楽データをエンコードされた状態で転送できるように要求を出す。外部パソコン２では、音楽データが外部パソコン２内で既にエンコードされた状態で記憶されている場合は、更なるエンコード処理は必要ないが、該音楽データがエンコードされていない状態で記憶されている場合は、そのエンコード処理が行われる。Ｓ２０２の処理が終了すると、Ｓ２０３へ進む。
【００６９】
Ｓ２０３では、外部パソコン２の記憶装置に記憶されている音楽データの一部を、上述した提供用音楽データとすべく、該音楽データのデコードを行うように外部パソコン２に対して要求を出す。この提供用音楽データは、転送の対象となっている音楽データの一部又は全部と同一であってもよく、また転送の対象とはなっていない音楽データであってもよい。これにより、外部パソコン２では、提供用音楽データ形成のためにデコード処理が行われる。Ｓ２０３の処理が終了すると、Ｓ２０４へ進む。
【００７０】
Ｓ２０４では、Ｓ２０２で準備されたエンコードされた音楽データの、外部パソコン２からＨＤＤ１２への転送が開始される。Ｓ２０４の処理が終了すると、Ｓ２０５へ進む。
【００７１】
Ｓ２０５では、Ｓ２０３の処理によって、外部パソコン２に形成されたデコードされた提供用音楽データを利用して、車両４０内のユーザに対して音楽の提供が行われる。具体的には、外部パソコン２内の提供用音楽データは、ＵＳＢ制御部１８を介して車載機１側に転送される。このとき、転送された提供用音楽データは既にデコードされているので、システム制御部４は、その提供用音楽データをＤＳＰ再生制御部１９に渡すことで、車両
４０内に音楽が提供される。
【００７２】
このＳ２０５の処理における音楽の提供の特徴点は、システム制御部４がＨＤＤ１２に何らアクセスをすることなく、車両４０内に音楽が提供されるための、システム制御部４の負荷の増加を抑制することができ、ＨＤＤ１２から外部パソコン２への音楽データの転送を阻害することを回避し得る点である。この結果、データ転送時、待機中のユーザに対して、データ転送の阻害を可及的に回避しながらも音楽の提供を行うことが可能となる。Ｓ２０５の処理が終了すると、Ｓ２０６へ進む。
【００７３】
Ｓ２０６では、Ｓ２０４で開始された各データの転送が完了したか否かが判定される。転送が完了したと判定されるとＳ２０７へ進み、転送が完了していないと判定されるとＳ２０５以降の処理が再び行われる。Ｓ２０７では、Ｓ２０５で開始された車両４０内での音楽の提供が停止され、本制御を終了する。
【００７４】
本制御によると、外部パソコン２からＨＤＤ１２への音楽データの転送において、転送の直接の対象となる音楽データはエンコードされた状態で転送され、車両４０内に提供される音楽データはデコードされた状態で転送される。その結果、その転送が完了するのを待機しているユーザに対して、システム制御部４に係る負荷を可及的に抑制しながら音楽を提供することが可能となる。
【実施例３】
【００７５】
本発明に係る車載機１の第三の実施例について、以下に説明する。上述までのデータ転送制御においては、音楽データの転送中に車両４０内に提供する音楽は、外部パソコン２が記憶する音楽データ（提供用音楽データ）であるが、それに代えて、車載機１が有するＴＶチューナー１４、ＡＭ／ＦＭチューナー１５からの音声信号を利用してもよい。これらからの音声は、上述したように、システム制御部４によって音声処理は実質的に行われないため、Ｓ１１０又はＳ２０５での車両４０内への音楽提供に際して、ＴＶチューナー１４、ＡＭ／ＦＭチューナー１５を利用して、音楽や音声をユーザに提供しても、ＨＤＤ１２と外部パソコン２との間で行われるデータ転送を阻害する可能性は低い。同様の観点から、アナログ音声であるカセットデッキ１７からの音声信号を利用することも可能である。
【００７６】
また、システム制御部４にかかる負担を考慮した場合、その負担程度が上記音楽データの転送を疎外しない程度に小さい場合には、ＣＤデッキ１３、ＭＤデッキ１６のオーディオ装置を提供音声の音源とすることも可能である。
【図面の簡単な説明】
【００７７】
【図１】本発明の実施例に係る車載機が搭載される車両の概略構成図である。
【図２】本発明の実施例に係る車載機の構成を示す図である。
【図３】本発明の実施例に係る車載機の表示部で表示画面を表す図である。
【図４】本発明の実施例に係る車載機の記憶装置であるハードディスクのデータ構成を示す図である。
【図５】音楽データの著作権を保護するための技術を簡便に表す図である。
【図６】本発明の実施例に係る車載機のハードディスクのデータ構成をより詳細に表す図である。
【図７】本発明の実施例に係る車載機において、車載機から外部パソコンに音楽データを転送するときの、車載機側で使用される音楽データの管理データと、外部パソコン側で使用される音楽データの管理データのデータ構造を表す図である。
【図８】本発明の第一の実施例に係る車載機において、音楽データを転送するデータ転送制御の流れを示すフローチャートである。
【図９】本発明の第二の実施例に係る車載機において、音楽データを転送するデータ転送制御の流れを示すフローチャートである。
【符号の説明】
【００７８】
１・・・・車載機
２・・・・外部パソコン
３・・・・ＣＰＵ
４・・・・システム制御部
８・・・・操作部
９・・・・表示部
１２・・・・ハードディスク（ＨＤＤ）
１３・・・・ＣＤ／ＤＶＤデッキ（ＣＤデッキ）
１８・・・・ＵＳＢ制御部
４０・・・・車両
【図１】
2007261381.tif 000003
【図２】
2007261381.tif 000004
【図３】
2007261381.tif 000005
【図４】
2007261381.tif 000006
【図５】
2007261381.tif 000007
【図６】
2007261381.tif 000008
【図７】
2007261381.tif 000009
【図８】
2007261381.tif 000010
【図９】
2007261381.tif 000011